(57)【要約】      （修正有）【課題】圧力制御を伴う本来の圧力調理に加え、圧力制御を伴わない普通調理の両方の機能を備えさせ、それらを任意に選択できるようにするとともに、その場合において、圧力調理終了後又は圧力調理の途中から通常調理を行ったような場合にも安全に調理を行うことができるようにした電気圧力鍋を提供する。【解決手段】耐圧構造の圧力鍋と、該圧力鍋を加熱する加熱手段と、該加熱手段による上記圧力鍋の加熱又は昇圧状態を制御する制御手段と、上記圧力鍋の温度を検出する温度検出手段とを備え、上記制御手段が、上記圧力鍋内の圧力制御を行う圧力調理制御機能と上記圧力鍋内の圧力制御を行わない普通調理制御機能との選択可能な複数の制御機能を備えるように構成した。【選択図】        図６
2004267253.tif 000002
【特許請求の範囲】
【請求項１】
耐圧構造の圧力鍋と、該圧力鍋を加熱する加熱手段と、該加熱手段による上記圧力鍋の加熱又は昇圧状態を制御する制御手段と、上記圧力鍋の温度を検出する温度検出手段とを備え、上記制御手段が、上記圧力鍋内の圧力制御を行う圧力調理制御機能と上記圧力鍋内の圧力制御を行わない普通調理制御機能との選択可能な複数の制御機能を備えて構成されていることを特徴とする電気圧力鍋。
【請求項２】
圧力調理制御を終了させた場合、圧力鍋の温度が所定の温度以下に低下するまでは、普通調理を行えないようにしたことを特徴とする請求項１記載の電気圧力鍋。
【請求項３】
圧力調理制御を終了させた場合、同終了時から所定の時間が経過するまでは、普通調理を行えないようにしたことを特徴とする請求項１記載の電気圧力鍋。
【請求項４】
圧力調理制御を終了させた場合、最大加熱出力を所定値以下に低下させることを条件として普通調理を行えるようにしたことを特徴とする請求項１記載の電気圧力鍋。
【請求項５】
圧力調理制御を途中で終了させた場合、再度元の圧力調理制御への復帰が可能であるように構成したことを特徴とする請求項２，３又は４記載の電気圧力鍋。
【発明の詳細な説明】
【０００１】
【発明の属する技術分野】
本願発明は、電気圧力鍋の構成に関するものである。
【０００２】
【従来の技術】
最近では、ガス火式のもののように調理状態監視の必要がなく、手軽で、マイコンやタイマーにより火加減、圧力状態を正確かつ容易にコントロールできることから、電気式の調理用圧力鍋（以下、単に電気圧力鍋という）が注目されつつある。
【０００３】
従来、このような電気圧力鍋は、一般に▲１▼煮る、▲２▼蒸す、▲３▼炊く、▲４▼ゆでる等の各種調理メニューに広く使用されているが、高圧・高温で調理することから、例えば「肉じゃが」のじゃがいも等にも十分に火を通すことができ、固い「すね肉」なども比較的短時間で軟かく煮込むことができる（例えば特許文献１参照）。
【０００４】
【特許文献１】
特開平１０−４３０４７号公報（第２〜第３頁、図１）
【０００５】
【発明が解決しようとする課題】
しかし、このような従来の電気圧力鍋は、圧力レベル自体の選択（高圧／低圧）は可能ではあるが、専用の圧力鍋を使用した圧力調理専用のものとなっており、同じ圧力鍋を使用して圧力制御を伴う圧力調理と圧力制御を伴わない普通調理とを任意に行えるようにしたものは存在しない。そのため電気圧力鍋の汎用性が低く、調理できるメニューの種類も自ずと限られたものとなっていた。
【０００６】
本願発明は、このような問題を解決するためになされたもので、上述のような圧力制御を伴う本来の圧力調理に加え、圧力制御を伴わない普通調理の両方の調理機能を備えさせ、それらを任意に選択できるようにするとともに、その場合において、圧力調理の途中から普通調理を行ったような場合にも安全に調理を行うことができるようにした電気圧力鍋を提供することを目的とするものである。
【０００７】
【課題を解決するための手段】
本願発明は、同目的を達成するために、次のような課題解決手段を備えて構成されている。
【０００８】
（１）  第１の課題解決手段
この発明の第１の課題解決手段は、耐圧構造の圧力鍋と、該圧力鍋を加熱する加熱手段と、該加熱手段による上記圧力鍋の加熱又は昇圧状態を制御する制御手段と、上記圧力鍋の温度を検出する温度検出手段とを備え、上記制御手段が、上記圧力鍋内の圧力制御を行う圧力調理制御機能と上記圧力鍋内の圧力制御を行わない普通調理制御機能との選択可能な複数の制御機能を備えて構成されていることを特徴としている。
【０００９】
したがって、該構成によれば、圧力鍋を圧力調理専用のものとすることなく、圧力制御を伴わない普通調理にも兼用することができ、電気圧力鍋を一般の電気調理器と同様に広い用途に使用することができるようになる。
【００１０】
したがって、汎用性が高くなり、調理できるメニューの種類も多くなる。
【００１１】
（２）  第２の課題解決手段
この発明の第２の課題解決手段は、上記第１の課題解決手段の構成において、圧力調理制御を終了させた場合、圧力鍋の温度が所定の温度以下に低下するまでは、普通調理を行えないようにしたことを特徴とするものである。
【００１２】
圧力鍋を共用して、圧力調理機能と普通調理機能とを兼備させた場合、高圧状態になったままの圧力調理工程から十分な減圧工程を経ずに普通調理工程に調理モードが変更されることも考えられる。
【００１３】
そして、普通調理モードでは、圧力制御（出力可変制御）が行われることなく、ユーザーが設定した一定の加熱出力で、加熱停止操作がなされるまで連続した加熱が行われる。したがって、圧力鍋本体の圧力調整機構による圧力のリリーフ作用が働くとしても、圧力鍋内の圧力が、さらに高くなることも想定される。
【００１４】
そこで、そのような場合に対応し、圧力調理制御を途中で又は圧力調理時間の経過により、終了させたような場合には、圧力鍋の温度が所定の温度以下に低下して圧力鍋内の圧力が所定の圧力以下に低下するまでは、普通調理を行えないようにして、不必要な圧力の上昇を避け、適切なかつ安全普通調理の実現を図る。
【００１５】
（３）  第３の課題解決手段
この発明の第３の課題解決手段は、上記第１の課題解決手段の構成において、圧力調理制御を終了させた場合、同終了時から所定の時間が経過するまでは、普通調理を行えないようにしたことを特徴としている。
【００１６】
圧力鍋を共用して、圧力調理機能と普通調理機能とを兼備させた場合、高圧状態になったままの圧力調理工程から十分な減圧工程を経ずに普通調理工程に調理モードが変更されることも考えられる。
【００１７】
そして、普通調理モードでは、圧力制御（出力可変制御）が行われることなく、ユーザーが設定した一定の加熱出力で、加熱停止操作がなされるまで連続した加熱が行われる。したがって、圧力鍋本体の圧力調整機構による圧力のリリーフ作用が働くとしても、圧力鍋内の圧力が、さらに高くなることも想定される。
【００１８】
そこで、そのような場合に対応し、圧力調理制御を途中で又は圧力調理時間の経過により、終了させたような場合には、同終了時から所定の時間が経過して圧力鍋内の圧力が所定値以下に低下するまでは、普通調理を行えないようにして、不必要な圧力の上昇を避け、適切かつ安全な普通調理の実現を図る。
【００１９】
（４）  第４の課題解決手段
この発明の第４の課題解決手段は、上記第１，第２又は第３の課題解決手段の構成において、圧力調理制御を終了させた場合、最大加熱出力を所定値以下に低下させることを条件として普通調理を行えるようにしたことを特徴としている。
圧力鍋を共用して、圧力調理機能と普通調理機能とを兼備させた場合、高圧状態になったままの圧力調理工程から十分な減圧工程を経ずに普通調理工程に調理モードが変更されることも考えられる。
【００２０】
そして、普通調理モードでは、圧力制御（出力可変制御）が行われることなく、ユーザーが設定した一定の加熱出力で、加熱停止操作がなされるまで連続した加熱が行われる。したがって、圧力鍋本体の圧力調整機構による圧力のリリーフ作用が働くとしても圧力鍋内の圧力が、さらに高くなることも想定される。
【００２１】
そこで、そのような場合に対応し、圧力調理制御を途中で又は圧力調理時間の経過により、終了させたような場合には、その後、圧力鍋内の圧力を所定値以上に以上させないように、最大加熱出力を所定値以下に低下させることを条件として普通調理を行えるようにして、圧力の上昇を避けながら、しかも適切な普通調理の実現を図る。
【００２２】
（５）  第５の課題解決手段
この発明の第４の課題解決手段は、上記第２，第３又は第４の課題解決手段の構成において、圧力調理制御を途中で終了させた場合、再度元の圧力調理制御への復帰が可能であるように構成したことを特徴としている。
【００２３】
一旦圧力制御を途中で終了させた後、再び元の圧力制御へ復帰させたとしても、圧力調理制御では圧力の調整がなされるから、何の問題もない。したがって、再加熱等特に必要がある時には、元の圧力調理制御に戻れるようにすると便利である。
【００２４】
【発明の効果】
以上の結果、本願発明の電気圧力鍋によると、１台の電気圧力鍋において共通の圧力鍋を使用しながら、圧力制御を伴う圧力調理と圧力制御を伴わない普通調理の両方の機能を任意に選択できるので非常に便利になる。
【００２５】
そして、その場合において、圧力調理終了後又は圧力調理の途中から普通調理を行ったような場合にも安全かつ適切に調理を行うことができる。
【００２６】
【発明の実施の形態】
以下、本願発明の幾つかの実施の形態について説明する。
【００２７】
（各実施の形態に共通する電気圧力鍋本体および制御装置部分の構成）
先ず図１〜図５は、以下に述べる本願発明の各実施の形態に共通な電気圧力鍋本体部分および制御装置部分の構成を示している。
【００２８】
すなわち、同電気圧力鍋は、例えば図１および図２に示すように、全体を大きく分けて、掛け替えおよび持ち運び可能な圧力鍋１と、該圧力鍋１を載置し、同載置状態において鍋本体１１部分を電磁誘導加熱する加熱台２とから構成されている。そして、圧力鍋１は、その鍋本体１１部分が、電磁誘導加熱可能な磁性金属材料（一例としてステンレス）により形成されている一方、加熱台２は、それに対応して電磁誘導加熱手段としてのワークコイル２１を備えて構成されている。
【００２９】
圧力鍋１の鍋本体１１部分は、底部１１ａが略フラットに形成されているとともに側壁部１１ｂは上下方向に略等径とされ、全体として有底の筒状構造をなしている。そして、その上端側外方への開口縁部１１ｃには全周に亘って蓋１４との間の隙間をシールするためのパッキン１２が嵌合されているとともに、その下部側開口部の外周面両端位置には、例えば耐熱性の合成樹脂材よりなる把手部１３，１３が一体に取り付けられている。
【００３０】
この圧力鍋１には、さらに上記開口縁部１１ｃに対して蓋１４が着脱可能に取り付けられるようになっている。蓋１４は、断面略ハット形の逆皿構造をなし、その側壁部１４ｂの外周面両端位置には、ヘリコイド係合完了状態において上記鍋本体１１側の把手部１３，１３位置に対応して重合状態に維持される把手部１５，１５が一体に取り付けられている。また、その天板部１４ａの上面側中央部には、圧力調整弁（おもり）を介して上下方向に連通する圧力調整機構（圧力調整ノズル）１６が、また、その外周寄りには、鍋内の圧力に応じて昇降する圧力表示ピンを有する圧力表示機構１７が、それぞれ設けられている。
【００３１】
他方、加熱台２は、本体ケース２２の上板２３側中央部２３ａを所定半径内凹状に凹ませてワークコイル設置部とし、同部分に上述のワークコイル２１を半径方向内方部分と外方部分の同心構造の２層面に分けて平面状態に設置している。そして、その上方には、上述の圧力鍋１を載置するための、上記鍋本体１１の直径に対応した直径の円板状のセラミックプレート（加熱プレート）２４が設けられている。このセラミックプレート２４の中央部には、上下方向に貫通したセンターセンサー収納口が設けられており、上記ワークコイル（内方部側ワークコイル）２１の中心軸部分に位置して上下方向に昇降自在に支持された、上記圧力鍋１の温度を検出する筒状の温度検知センサ（一例としてサーミスタ）２５が所定高さ上方に臨まされている。
【００３２】
本体ケース２２は、その下板２６と上記上板２３側との間に冷却ファンを介して通風可能な部品等設置空間２７を形成し、同通風可能な部品等設置空間２７内に、放熱用のヒートシンク２８を有して電源基板および制御基板２９を設置している。
【００３３】
この電源基板および制御基板２９には、上記ワークコイル２１等を駆動制御するＩＧＢＴやＩＧＢＴ駆動回路、電源電圧整流用のダイオードブリツジよりなる整流回路、平滑回路、共振回路などが備えられている。
【００３４】
また、本体ケース２２の前面側には、図示のような操作パネル３０が設けられている。
【００３５】
この操作パネル３０部分には、操作部として、調理（圧力調理・普通調理・オートメニュー調理）を開始する調理スタートスイッチＳＷ１、調理種別、調理メニューその他の操作、設定状態を取り消す取消スイッチＳＷ２、圧力調理工程モード又は普通調理工程モードを選択設定する圧力選択スイッチＳＷ３、自動（オート）調理メニューを選択設定するオートメニュー選択スイッチＳＷ４、圧力調理工程における仕上りレベルを強める方向に設定するアップスイッチＵＳＷ、同仕上りレベルを弱め方向に設定するダウンスイッチＤＳＷ等と液晶ディスプレイよりなる表示部３１とが設けられている。
【００３６】
そして、上記表示部３１には、上記圧力選択スイッチＳＷ３で選択された圧力調理又は普通調理、オートメニュー選択スイッチＳＷ４で選択された白米、玄米、おこわ、煮豆、おでん、煮込み等のマークＭによる指示表示、保温状態の表示、調理完了残時間の表示などが任意に行われるようになっている。なお、図３は全データ点灯表示状態の図、図４は調理開始前の初期表示状態の図である。
【００３７】
また、該操作パネル３０の裏側には、図示はしないが操作基板およびマイコン基板が設けられ、マイコン基板にはマイコン制御ユニットが設けられている。
【００３８】
次に、図５は、上述のように構成された電気圧力鍋の圧力制御を行う圧力調理および圧力制御を行わない普通調理制御用のマイコン制御ユニットを中心とする制御回路部分の構成を示す。
【００３９】
図中、符号４０が上述のような圧力調理時および普通調理時の加熱制御手段に加え、鍋温度検知手段、鍋温度判定手段、ブザー報知手段等を備えた調理制御用のマイコン制御ユニット（ＣＰＵ）であり、該マイコン制御ユニット４０はマイクロコンピュータを中心として構成され、例えば温度検知回路部、ワークコイル駆動制御回路部、発振回路部、リセット回路部、残時間設定表示制御回路部、ブザー報知制御回路部等を各々有して構成されている。
【００４０】
そして、上記ワークコイル駆動制御回路部は、例えば図５に示されるように、パルス幅変調回路４１、同期トリガー回路４２、ＩＧＢＴ駆動回路４３、ＩＧＢＴ４４、共振コンデンサ４５によって形成されている。そして、上記マイコン制御ユニット４０の上記ワークコイル駆動制御回路部により、上記パルス幅変調回路４１を制御することにより、初期状態から１００℃での沸とう状態、１００℃での沸とう状態から圧力制御温度１３０℃での沸とう状態までの昇温工程、圧力調理工程、その後の又は圧力調理工程とは別個に行われる普通調理工程の各々に応じて上記ワークコイル２１の出力（％）をそれぞれ適切に変え、又は一定値に設定することによって、それら各工程における圧力鍋の加熱温度、圧力状態を適切にコントロールし、速やかな昇温作用と加熱ムラのない高温・高圧状態下での圧力調理およびその後の適度な温度・圧力下での普通調理を実現するための適切な加熱出力、加熱時間の設定制御が行われるようになっている。
【００４１】
なお、図５中の符号４６は平滑回路を構成する平滑コンデンサ、４７はＡＣ電源、４８は整流回路、４９はブザーである。
【００４２】
（実施の形態１）
次に、図６のフローチャートを参照して、本願発明の実施の形態１に係る電気圧力鍋の圧力調理制御と圧力調理中止後の普通調理制御の内容について説明する。
【００４３】
この実施の形態では、電気圧力鍋において、圧力制御を伴う本来の圧力調理に加え、圧力制御を伴わない普通調理の両方の調理機能を備えさせ、それらを任意に選択できるようにするとともに、その場合において、圧力調理終了後又は圧力調理の途中から普通調理を行ったような場合にも安全かつ適切に調理を行うことができるようにしたことを特徴とするものである。
【００４４】
すなわち、該制御は、同図６のフローチャートに示すように、調理スタートスイッチＳＷ１のＯＮによりスタートする。
【００４５】
そして、先ずステップＳ１で、加熱手段であるワークコイル２１の出力をフルパワー１００％に設定してＯＮにする。これにより初期状態からの「昇温工程」が開始され、鍋の温度が、先ず通常気圧の下での沸とう温度１００℃に達し、その後しばらくの間温度上昇率が小さくなる状態を経て、やがて高圧状態（２気圧程度）を示す高温の圧力制御温度１３０℃付近まで効率良く上昇して行く。
【００４６】
そして、やがて圧力鍋の温度が目標とする圧力制御温度（圧力調理温度）１３０℃に近付き、圧力調理に適した高圧状態（２気圧付近）になる。
【００４７】
そこで、次にステップＳ２で、実際に鍋の温度が同目標とする圧力制御温度１３０℃以上になったか否かを検出判定する。その結果、ＹＥＳの場合には、鍋内の圧力状態が圧力調理を行うに適した高圧状態（２気圧程度）になったと判定して、続くステップＳ３で圧力調理を行う圧力調理タイマーの計時動作をスタート（ＯＮ）させて、「圧力調理工程」に入る。
【００４８】
そして、その後、同「圧力調理工程」では、ステップＳ４〜Ｓ８に示すように、圧力調理を中止するための取消スイッチが押されないか、または上記圧力調理タイマーの圧力調理設定時間が経過する（ステップＳ７でＮＯ、ステップＳ８でＹＥＳとなる）までの間、上記圧力鍋の温度が上記圧力制御温度１３０℃以上になればワークコイル２１をＯＦＦ（ステップＳ５）に、他方同温度１３０℃よりも低下すればワークコイル２１を例えば出力７０％でＯＮ（ステップＳ６）にするＯＮ，ＯＦＦ制御を繰り返すことにより、圧力鍋の温度を上記圧力制御温度１３０℃に維持して圧力調理を実行する。
【００４９】
そして、それにより鍋内の調理物（食材）がグツグツと煮込まれ、「肉じゃが」のじゃがいも等の相当に煮えにくいものにも十分に火が通される。
【００５０】
そして、やがてステップＳ８で、上記圧力調理設定時間の経過（圧力調理タイマーＯＦＦ）が判定されると、圧力調理工程終了と判定して、ステップＳ９で上記ワークコイル２１をＯＦＦにするとともに、ステップＳ１０で調理終了をブザー報知して、全ての調理制御を終了する。
【００５１】
一方、上記ステップＳ７でＹＥＳと判定された、上記圧力調理工程の途中で取消スイッチが押された時は、上記の場合と異なり、ステップＳ１１の方に進んで、まず圧力鍋内の圧力が所定の安全圧力（安全温度）に低下するのに要する待機時間をカウント時間として設定してある「取消しタイマー」のタイマー動作をスタートさせる。そして、その上でステップＳ１２に進み、ユーザーが上述の「圧力調理」に変えて圧力制御を伴わない「普通調理」を選択スタートさせたか否かを判定する。
【００５２】
その結果、ＮＯの時は、ステップＳ１３で上記取消しタイマーの設定待機時間が経過（タイムアップ）したことが判定されるまでの間（ＹＥＳになるまでの間）、上記「普通調理」の選択判定を繰り返す。
【００５３】
そして、同待機時間が経過するまでの間に「普通調理」が選択設定されなかったＹＥＳ場合には、そのまま全ての制御を終了する。
【００５４】
他方、上記取消しタイマーの設定待機時間が経過するまでの間にユーザーにより「普通調理」が選択設定されて、調理スタートした場合には、先ずステップＳ１４に進んで、同普通調理が可能で、かつ鍋内圧力をも有効に下げることができる上記ワークコイル２１の加熱出力として、同出力を定格出力の最大８０％に小さく設定し、ステップＳ１５で普通調理加熱（圧力制御を行わない一定出力での連続加熱）を行う。
【００５５】
そして、同調理が終了すると、ステップＳ１６で上記ワークコイル２１をＯＦＦにして全ての制御を終える。
【００５６】
以上のような電気圧力鍋によると、圧力制御を伴う圧力調理と圧力制御を伴わない普通調理の両機能を任意に選択できるので非常に便利になる。そして、その場合において、圧力調理終了後又は圧力調理の途中から普通調理を行ったような場合にも安全かつ適切に調理を行うことができるようになる。
【００５７】
すなわち、同構成によれば、圧力鍋を圧力調理専用のものとすることなく、普通調理にも兼用することができ、電気圧力鍋を一般の電気調理器的に広い用途に使用することができるようになる。
【００５８】
したがって、汎用性が高くなり、調理できるメニューの種類も多くなる。
【００５９】
（実施の形態２）
次に、図７及び図８のフローチャートを参照して、本願発明の実施の形態２に係る電気圧力鍋の圧力調理制御と同制御中止後の普通調理制御の内容について説明する。
【００６０】
この実施の形態では、上記実施の形態１同様に、圧力調理中にユーザーが調理停止の操作をした場合において、上述の温度検出手段の検出温度が所定の温度以下まで低下するに必要な時間が経過するまでは、ワークコイル２１の加熱出力を同温度まで低下させるのに有効で、しかも安全な所定値以下の出力での調理を行わせるようにしたことを特徴としている。
【００６１】
該制御は、まず図７のフローチャートに示す自動圧力調理制御フロー（サブルーチン）と、図８に示すマニュアル加熱普通調理制御フロー（サブルーチン）とを備え、それらをメインルーチンで接続して構成されている。
【００６２】
すなわち、該制御は、先ず図７のフローチャートに示すように、前述の調理スタートスイッチＳＷ１のＯＮによりスタートする。
【００６３】
そして、先ずステップＳ１で、ワークコイル２１の出力をフルパワー１００％に設定してＯＮにする。そして、それにより、同ワークコイル２１フルパワーでの「昇温工程」が開始され、圧力鍋の温度が通常気圧の下での沸とう温度１００℃を超えて高圧状態（２気圧程度）を示す高温の圧力制御温度１３０℃付近まで効率良く上昇して行く。
【００６４】
そこで、次にステップＳ２で、実際に圧力鍋の温度が同温度１３０℃以上になったか否か、すなわち高圧調理を行うための加圧調理条件が成立したか否かを判定する。その結果、ＹＥＳの場合には、圧力鍋内の圧力状態が圧力調理を行うに適した高圧状態（２気圧程度）になり、加圧調理条件が成立したと判定して、続くステップＳ３で上記ワークコイル２１の出力を圧力調理に適した出力（例えば７０％）に設定して出力電力制御を行うとともに同圧力調理を行う圧力調理タイマーの計時動作をスタートさせ、圧力調理工程を行う。
【００６５】
この「圧力調理工程」における電力制御では、上記圧力調理タイマーの圧力調理設定時間が経過する（ステップＳ４でＹＥＳとなる）か、又は圧力調理停止スイッチが押されるまでの間、上記鍋の温度が１３０℃以上になればワークコイル２１をＯＦＦ、１３０℃よりも低下すればワークコイル２１を出力７０％でＯＮにするＯＮ，ＯＦＦ制御を繰り返すことにより、鍋の温度を上記圧力調理に適した高圧状態（２気圧程度）に維持できる略１３０℃に維持する制御がなされる。
【００６６】
そして、上記ステップＳ４でＹＥＳとなり、上記圧力調理タイマーの圧力調理設定時間が経過したことが判定されると、同「圧力調理工程」を終了して、ワークコイル２１をＯＦＦにし、圧力鍋内の圧力を低下させる「減圧工程」に移行する。
【００６７】
一方、上記圧力調理タイマーの圧力調理設定時間が経過しなくても（ステップＳ４でＮＯでも）、上記圧力調理停止スイッチが押されたステップＳ５でＹＥＳの時は、マニュアル加熱による普通調理（連続加熱調理）の選択が予想されるので、先ずステップＳ６で「連続調理フラグ」を立て、その上でステップＳ７で上記実施の形態１と同様の所定の温度降下待機時間をセットした待機タイマーの計時動作をスタートさせる。
【００６８】
そして、その後、メインルーチンを経て図８のマニュアル普通調理制御フローに進む。
【００６９】
同フローでは、先ずステップＳ１で、上記待機タイマーの待機設定時間内にマニュアル普通調理メニューが選択されたか否かを判定する。
【００７０】
その結果、ＮＯの場合には再びメインルーチンに戻るが、ＹＥＳのマニュアル普通調理が選択された場合には、次にステップＳ２で上記設定時間以内であるか否かを判定し、その判定結果に基き、ＹＥＳの時には定格出力よりも所定終了低い低電力制御モードに、他方ＮＯの時には通常出力での電力制御モードに各々設定する。そして、その上でステップＳ５に進んで加熱を開始し、ステップＳ６で同加熱調理を実行する。
【００７１】
（変形例）
なお、この場合において、上記所定の待機時間が経過するまでの間は、仮にユーザーがマニュアル操作を行って普通加熱を行おうとしても、それによる加熱を全く行うことができないようにすることもできる。このようにすると、より安全である。
【００７２】
（実施の形態３）
次に、図９のフローチャートを参照して、本願発明の実施の形態３に係る電気圧力鍋の圧力調理制御と普通調理制御の内容について説明する。
【００７３】
この実施の形態は、図９のフローチャートに示すように圧力鍋１を専用鍋として加熱制御する制御手段と、上記圧力鍋１の温度を検出する温度検知センサー２５と、圧力鍋加熱用のワークコイル２１とを備えた電気圧力鍋において、油炒め等の前調理により加熱されて高温になった圧力鍋１が、セラミックプレート（加熱プレート）２４上に載置された状態で圧力調理コースが選択された場合に、調理開始後に上記温度検知センサー２５が読み込んだ温度検出データＴ（ステップＳ１）の値が高温状態を示す（ステップＳ２でＹＥＳ）所定の温度ｔよりも高い時には、同図９のフローチャートのステップＳ２からステップＳ４に示すように定格電力で加熱するステップＳ３の昇温工程をとばして、そのままステップＳ４の加熱調理工程に進み、定格電力以下の連続した電力で加熱制御（高圧制御）する加圧工程（圧力調理工程）に移行させるようにしたことを特徴とするものである。そして、加圧が終わると減圧工程（ステップＳ５）を経て全ての制御を終える。
【００７４】
このような構成によると、前調理の終わった高温の圧力鍋１を、高出力で急激に加熱する危険性を確実に回避することができる。
【００７５】
（実施の形態４）
次に、図１０のフローチャートを参照して、本願発明の実施の形態４に係る電気圧力鍋の圧力調理制御の内容について説明する。
【００７６】
この実施の形態は、専用の圧力鍋１と、ワークコイル２１と、圧力鍋１を監視する温度検知センサ２５と、液晶等の表示部３１と、圧力あり／なしを選択する圧力選択スイッチＳＷ３と、アップスイッチ（加算キー）ＵＳＷと、ダウンスイッチ（減算キー）ＤＳＷとを備え、圧力調理「圧力あり」が選択されている場合は、液晶等表示部３１に温度データを表示し、上記アップスイッチＵＳＷとダウンスイッチＤＳＷで圧力調理加熱時の圧力制御温度を所定のレベル選択できるようにする一方、普通調理「圧力なし」が選択されている場合には、液晶等表示部３１に火力（加熱量）を表示するようにし、アップスイッチＵＳＷとダウンスイッチＤＳＷで、火力（加熱量）の大小を任意に選択できるようにしたこと特徴とするものである。
【００７７】
すなわち、該制御では、図１０のフローチャートに示されるように、電源ＯＮ状態において制御を開始し、先ず最初にステップＳ１で圧力選択スイッチＳＷ３が押されたか否かを判定する。その結果、ＹＥＳの時は、ステップＳ２で、そのＯＮ操作回数に応じて調理機能が「圧力あり」、「圧力なし」に順次反転される。
【００７８】
次にステップＳ３に進み、上記圧力選択スイッチＳＷ３のＯＮ操作による設定が、「圧力あり」設定であるか否かを判定する。その結果、ＹＥＳの「圧力あり」が選ばれている時は、次にステップＳ４に進んで、図１１のように表示部３１に「圧力制御温度」を表示する一方、ＮＯの「圧力なし」が選ばれている時は、ステップＳ５に進んで図１２のように表示部３１に「火力」のレベルを表示する。
【００７９】
そして、その後、ステップＳ６に進んで、上述のアップスイッチＵＳＷが押されたか否かを判定する。そして、その結果がＹＥＳの時は、さらにステップＳ７で、その時の調理機能が「圧力あり」であるか否かを確認の上、ＹＥＳの「圧力あり」の場合にはステップＳ８に進んで、上記一旦設定表示された基本となる「圧力制御温度」を１ステップ分アップする。他方、ＮＯの「圧力なし」の場合にはステップＳ９に進んで、上記一旦設定表示された基本となる「火力」を１ステップ分アップする。そして、それらを行った上で、さらにステップＳ１０に進む。
【００８０】
一方、上記判定でアップスイッチＵＳＷが押されなかったＮＯの場合には、そのまま同じステップＳ１０に進む。そして、ステップＳ１０では、それぞれダウンスイッチＤＳＷが押されたか否かを判定する。
【００８１】
その結果がＹＥＳの時は、さらにステップＳ１１で、その時の調理機能が「圧力あり」であるか否かを確認の上、ＹＥＳの「圧力あり」の場合にはステップＳ１２に進んで、上記一旦設定表示された基本となる「圧力制御温度」を１ステップ分ダウンする。他方、ＮＯの「圧力なし」の場合にはステップＳ１３に進んで、上記一旦設定表示された基本となる「火力」を１ステップ分ダウンる。
【００８２】
そして、それらを行った上で、さらにステップＳ１４に進んで、調理スタートスイッチＳＷ１のＯＮ状態を確認した上で、「圧力あり」の圧力調理又は「圧力なし」の普通調理をそれぞれ開始・実行する。
【００８３】
（実施の形態５）
次に、図１３のフローチャートおよび図１４、図１５の表示形態を参照して、本願発明の実施の形態５に係る電気圧力鍋の圧力調理および普通調理制御の内容について説明する。
【００８４】
この実施の形態は、上述のような圧力鍋１と、ワークコイル２１と、圧力鍋１の温度を監視する温度検知センサ２５と、液晶等の表示部３１と、圧力あり／なしを選択する圧力選択スイッチＳＷ３と、アップスイッチ（加算キー）ＵＳＷと、ダウンスイッチ（減算キー）ＤＳＷとを備え、圧力選択スイッチＳＷ３により圧力調理「圧力あり」が選択されている場合は、液晶等表示部３１に圧力調理時間を表示して、アップスイッチＵＳＷとダウンスイッチＤＳＷで圧力調理加熱時の圧力調理時間を任意に選択できるようにする一方、普通調理「圧力なし」が選択されている場合は、液晶等表示部３１に火力（加熱量）を表示するようにし、アップスイッチＵＳＷとダウンスイッチＤＳＷで、同火力（加熱量）の大小を選択できるようにしたこと特徴とするものである。
【００８５】
（圧力調理時および普通調理時の操作、表示制御）
先ず、該制御では、例えば図１３のフローチャートに示されるように、電源ＯＮ状態において制御を開始し、先ず最初にステップＳ１で圧力選択スイッチＳＷ３が押されたか否かを判定する。その結果、ＹＥＳの時は、ステップＳ２で、そのＯＮ操作回数に応じて調理機能が「圧力あり」、「圧力なし」に順次反転される。
【００８６】
次にステップＳ３に進み、上記圧力選択スイッチＳＷ３のＯＮ操作による設定が、「圧力あり」設定であるか否かを判定する。その結果、ＹＥＳの「圧力あり」が選ばれている時は、次にステップＳ４に進んで、例えば図１４のように「圧力調理時間」を表示する一方、ＮＯの「圧力なし」が選ばれている時は、ステップＳ５に進んで、例えば図１５のように「火力」を表示する。
【００８７】
そして、その後、ステップＳ６に進んで、上述のアップスイッチＵＳＷが押されたか否かを判定する。そして、その結果がＹＥＳの時は、さらにステップＳ７で、その時の調理機能が「圧力あり」であるか否かを確認の上、ＹＥＳの「圧力あり」の場合にはステップＳ８に進んで、上記一旦設定表示された基本となる「圧力調理時間」を１ステップ分アップする。他方、ＮＯの「圧力なし」の場合にはステップＳ９に進んで、上記一旦設定表示された基本となる「火力」を１ステップ分アップする。そして、それらを行った上で、さらにステップＳ１０に進む。
【００８８】
一方、上記判定でアップスイッチＵＳＷが押されなかったＮＯの場合には、そのまま同じステップＳ１０に進む。そして、それぞれステップＳ１０では、ダウンスイッチＤＳＷが押されたか否かを判定する。
【００８９】
その結果がＹＥＳの時は、さらにステップＳ１１で、その時の調理機能が「圧力あり」であるか否かを確認の上、ＹＥＳの「圧力あり」の場合にはステップＳ１２に進んで、上記一旦設定表示された基本となる「圧力調理時間」を１ステップ分ダウンする。他方、ＮＯの「圧力なし」の場合にはステップＳ１３に進んで、上記一旦設定表示された基本となる「火力」を１ステップ分ダウンる。
【００９０】
そして、それらを行った上で、さらにステップＳ１４に進んで、調理スタートスイッチＳＷ１のＯＮ状態を確認した上で、「圧力あり」の圧力調理又は「圧力なし」の普通調理をそれぞれ開始する。
【００９１】
（圧力調理制御および普通調理制御）
次に、図１６及び図１７のフローチャートを参照して、同実施の形態に係る電気圧力鍋の圧力調理制御および普通調理制御の内容について説明する。
【００９２】
同制御では、例えば上述のようにして「圧力あり」が選択されている場合には、アップスイッチ（加算キー）ＵＳＷとダウンスイッチ（減算キー）ＤＳＷにて圧力調理時間を変更し、定格電力で１００℃以上の所定の温度まで加熱した後電力を下げて上記所定の温度で温度調節を行う。他方、「圧力なし」が選択されている場合には、アップスイッチ（加算キー）ＵＳＷとダウンスイッチ（減算キー）ＤＳＷで火力加熱量の大小を選択し、あくまでも設定された火力（加熱量）で１００℃にて温度調節を行うようにしたことを特徴とするものである。
【００９３】
このような構成にすると、仮に誤って圧力がかかる状態で「圧力なし」設定での加熱を行った場合でも、１００℃までの温度で温度調節されるために安全になる。
【００９４】
（圧力調理）
すなわち、先ず該制御での圧力調理は、例えば図１６のフローチャートに示すように、調理スタートスイッチＳＷ１のＯＮによりスタートする。
【００９５】
そして、先ずステップＳ１で、ワークコイル２１の出力をフルパワー１００％に設定してＯＮにする。これにより「昇温工程」が開始され、圧力鍋の温度が通常気圧の下での沸とう温度１００℃を超えて圧力調理可能な高圧状態（２気圧程度）となったことを示す圧力制御温度１３０℃付近まで効率良く上昇して行く。
【００９６】
そこで、次にステップＳ２で、実際に現在の圧力鍋の温度が同圧力制御温度１３０℃以上になったか否かを判定する。その結果、ＹＥＳの場合には、圧力鍋内の圧力状態が圧力調理を行うに適した高圧状態（２気圧程度）になったと判定して、続くステップＳ３で圧力調理を行う圧力調理タイマーの計時動作をスタートさせ、実際に「圧力調理工程」に入る。
【００９７】
「圧力調理工程」では、ステップＳ４〜Ｓ７に示されるように、上記圧力調理タイマーの圧力調理設定時間が経過する（ステップＳ７でＹＥＳとなる）までの間、圧力鍋の温度が圧力制御温度１３０℃以上になればワークコイル２１をＯＦＦ（ステップＳ５）、１３０℃よりも低下すればワークコイル２１を定格出力の５０％でＯＮ（ステップＳ６）にするＯＮ，ＯＦＦ制御を繰り返すことにより、圧力鍋の温度を上記圧力調理に適した高圧状態（２気圧程度）に維持できる略１３０℃に維持する。
【００９８】
そして、それにより「圧力調理メニュー」における調理物（食材）の各々に十分に火を通す。この結果、固いすね肉等も短時間で軟かくなり、必要に応じ、続けて行われる「煮込み調理工程」などでの味のしみ込み効果も高くなる。
【００９９】
そして、上記ステップＳ７でＹＥＳとなり、上記圧力調理タイマーの圧力調理設定時間が経過したことが判定されると、次にステップＳ８に進み「圧力調理工程」を終了して、ワークコイル２１をＯＦＦにし、さらにステップＳ９で調理終了をブザー報知して、全ての調理制御を終了する。
【０１００】
（普通調理）
他方、「圧力なし」の「普通調理」が選ばれている時は、例えば図１７のフローチャートのように、上述のアップスイッチＵＳＷ又はダウンスイッチＤＳＷによって火力（加熱量）の大小を選択し、それにより設定された火力で、１００℃以下で以降の連続加熱工程の鍋温度を適切に調節する。
【０１０１】
すなわち、該「普通調理」の制御では、調理開始後、先ずステップＳ１で、上記圧力鍋の温度が１００℃以下であるか否かを判定し、１００℃を超えているＮＯの場合にはステップＳ４に進んで、上記ワークコイル２１をＯＦＦにして温度を１００℃よりも下げる。
【０１０２】
一方、１００℃以下のＹＥＳの場合には、順次ステップＳ２，Ｓ３に進んで、上述のようにして設定されている火力が１であるか、２であるかを順次判定する。そして、その結果、設定火力が１である場合にはステップＳ５に進んで、上記ワークコイル２１の出力を定格出力の５０％（最小出力）でＯＮにして加熱を行う一方、設定火力が２である場合には、ステップＳ６に進んで、上記ワークコイル２１の出力を定格出力の７０％（中間出力）でＯＮにして加熱を行う一方、設定火力が１でも２でもない場合には、ステップＳ７に進んで、上記ワークコイル２１の出力を定格出力１００％（最大出力）でＯＮにして加熱を行う。
【０１０３】
そして、それぞれ調理が進行して、ステップＳ８で取消スイッチＳＷ２のＯＮ操作が確認されると、調理終了と判定して、ステップＳ９で上記ワークコイル２１をＯＦＦにするとともに、ステップＳ１０で調理終了をブザー報知して、全ての調理制御を終了する。
【０１０４】
（実施の形態６）
次に、図１８のフローチャートを参照して、本願発明の実施の形態６に係る電気圧力鍋の圧力調理制御の内容について説明する。
【０１０５】
以上の各実施の形態における電気圧力鍋のようなワークコイルを用いた誘導加熱手段の特徴はヒータによる加熱方式とは異なり、低電力による連続加熱が可能であることである。
【０１０６】
そこで、この実施の形態では、そのような特徴を活用し、上述のような圧力鍋を専用鍋とした当該電気圧力鍋の圧力調理時の電力制御について、定格電力の少なくとも５０％以下の範囲で、かつ加圧にいたるまでに（圧力制御温度１３０℃になるまでに）要した昇温時間によって定められた設定電力により通電制御を行うようにすることによって、加熱中の蒸気の発生量を最小限に抑えるようにしたことを特徴とするものである。
【０１０７】
すなわち、該制御では、先ずステップＳ１で圧力調理メニューを設定し、ステップＳ２で調理スタートスイッチＳＷ１を押し、ステップＳ３でワークコイル２１を定格出力１００％で圧力調理を開始する。
【０１０８】
次にステップＳ４で、所定時間内の温度上昇幅ΔＴが、所定の基準幅Δｔよりも小さくなったか否かを判定する。
【０１０９】
上記のように調理開始後、昇温工程における加熱を継続して行くと、やがて圧力鍋の温度Ｔが同１００℃の通常気圧下における沸とう温度に達して、圧力鍋内の調理物が沸とうを開始するようになる。
【０１１０】
そして、該沸とうが始まると、次第に鍋内の圧力が高まって行くが、沸とう開始後（１００℃到達後）の所定の時間内は、同じ出力での加熱を継続しても、圧力鍋の温度Ｔは上昇せず、所定の時間内は同温度上昇率ΔＴが小さい状態が続く。
【０１１１】
そして、同温度上昇率の小さい状態が続く時間は、その時の調理物の量に比例し、調理物の量が多いほど長くなり、同時間が経過すると再び急に温度が上昇して圧力調理時の圧力制御温度ｔ０（例えばｔ０＝１３０℃）に近付いてゆく。
【０１１２】
そこで、次にステップＳ５で、実際に圧力鍋の温度Ｔを読み込み、ステップＳ６で同温度Ｔが上記ｔ０（１３０℃）以上になったか否かを判定する。その結果、ＹＥＳの場合には、鍋内の圧力状態が圧力調理を行うに適した高圧状態（２気圧程度）になったと判定して、圧力調理を行う圧力調理タイマーの計時動作をスタートさせて「圧力調理工程」に入る。
【０１１３】
「圧力調理工程」では、ステップＳ６〜Ｓ９に示されるように、上記圧力調理タイマーの圧力調理設定時間が経過する（ステップＳ７でＹＥＳとなる）までの間、鍋の温度Ｔが圧力制御温度ｔ０℃以上になればワークコイル２１をＯＦＦ（ステップＳ７）、ｔ０℃よりも低下すればワークコイル２１を定格出力の５０％でＯＮ（ステップＳ８）にするＯＮ，ＯＦＦ制御を繰り返すことにより、鍋の温度を上記圧力調理に適した高圧状態（２気圧程度）に維持できる略ｔ０（１３０℃）に維持する。
【０１１４】
そして、それにより「煮込み調理メニュー」における調理物（食材）の各々に十分に火を通す。この結果、固いすね肉等も短時間で軟かくなる。
【０１１５】
そして、上記ステップＳ９でＹＥＳとなり、上記圧力調理タイマーの圧力調理設定時間が経過したことが判定されると、次にステップＳ１０に進んで上記ワークコイル２１をＯＦＦにするとともに、調理終了をブザー報知して、全ての調理制御を終了する。
【図面の簡単な説明】
【図１】本願発明の実施の形態１〜６に係る電気圧力鍋に共通な電気圧力鍋本体部分の構成を示す外部正面図である。
【図２】同電気圧力鍋本体の構成を示す断面図である。
【図３】同電気圧力鍋本体の操作パネル表示部の構成を示す全表示部を点灯させた状態の正面図である。
【図４】同電気圧力鍋本体の操作パネル部分の調理開始前の初期状態の点灯内容を示す正面図である。
【図５】同電気圧力鍋本体内制御回路の構成を示すブロック図である。
【図６】本願発明の実施の形態１に係る電気圧力鍋の圧力調理および普通調理制御の内容を示すフローチャートである。
【図７】本願発明の実施の形態２に係る電気圧力鍋の圧力調理制御の内容を示すフローチャートである。
【図８】同実施の形態に係る電気圧力鍋の普通調理制御の内容を示すタイムチャートである。
【図９】本願発明の実施の形態３に係る電気圧力鍋の圧力調理制御の内容を示すタイムチャートである。
【図１０】本願発明の実施の形態４に係る電気圧力鍋の圧力調理時および普通調理時の操作、表示制御の内容を示すフローチャートである。
【図１１】同電気圧力鍋の圧力調理選択時の操作パネル部の表示部における表示内容を示す図である。
【図１２】同電気圧力鍋の普通調理選択時の操作パネル部の表示部における表示内容を示す図である。
【図１３】本願発明の実施の形態５に係る電気圧力鍋の圧力調理時および普通調理時の操作、表示制御の内容を示すすタイムチャートである。
【図１４】同電気圧力鍋の圧力調理選択時の操作パネル部の表示部における表示内容を示す図である。
【図１５】同電気圧力鍋の普通調理選択時の操作パネル部の表示部における表示内容を示す図である。
【図１６】同電気圧力鍋の圧力調理制御の内容を示すフローチャートである。
【図１７】同電気圧力鍋の普通調理制御の内容を示すフローチャートである。
【図１８】本願発明の実施の形態６に係る電気圧力鍋の圧力調理制御の内容を示すフローチャートである。
【符号の説明】
１は圧力鍋、２は加熱台、１１は鍋本体、１２はパッキン、１３は把手部、１４は蓋、１５は把手部、１６は圧力調整機構、１７は圧力表示機構、２１はワークコイル、２２は本体ケース、２９は電源基板および制御基板、３０は操作パネル、３１は表示部である。
【図１】
2004267253.tif 000003
【図２】
2004267253.tif 000004
【図３】
2004267253.tif 000005
【図４】
2004267253.tif 000006
【図５】
2004267253.tif 000007
【図６】
2004267253.tif 000008
【図７】
2004267253.tif 000009
【図８】
2004267253.tif 000010
【図９】
2004267253.tif 000011
【図１０】
2004267253.tif 000012
【図１１】
2004267253.tif 000013
【図１２】
2004267253.tif 000014
【図１３】
2004267253.tif 000015
【図１４】
2004267253.tif 000016
【図１５】
2004267253.tif 000017
【図１６】
2004267253.tif 000018
【図１７】
2004267253.tif 000019
【図１８】
2004267253.tif 000020